(57)【要約】【課題】軸受に与える悪影響を低減しつつ装置の軽量化に供し得る内燃機関のバランサ装置を提供する。【解決手段】各アンバランスウェイト３５，４４の軸方向両端側に設けられる一対の第２、第３ジャーナル部３２，３３及び第１、第２ジャーナル部４１，４２を介しそれぞれ第２、第３軸受２２，２３及び第１、第２軸受２７，２８により支持されるバランサシャフトであるドライブシャフト３０及びドリブンシャフト４０を備えたバランサ装置１０において、前記各ジャーナル部３２，３３、４１，４２における反アンバランスウェイト３５，４４側の軸方向端部を除いた範囲であって少なくともアンバランスウェイト３５，４４の回転時における遠心力の作用方向に対し径方向反対側となる周方向範囲に、第２、第３ジャーナル凹部３７，３８及び第１、第２ジャーナル凹部４６，４７を設けた。【選択図】図３
2013104512.tif 000002
【特許請求の範囲】
【請求項１】
回転自在に支持されるバランサシャフトと、
該バランサシャフトに設けられた単一のアンバランスウェイトと、
前記バランサシャフトにおける前記アンバランスウェイトが配置された箇所の軸方向両端側に設けられた一対のジャーナル部と、
該各ジャーナル部を回転自在に支持する軸受と、
前記各ジャーナル部における反アンバランスウェイト側の軸方向端部を除く範囲であって少なくとも前記アンバランスウェイトの回転時における遠心力の作用方向に対し径方向反対側となる周方向範囲に設けられた凹部と、を備えたことを特徴とする内燃機関のバランサ装置。
【請求項２】
回転自在に支持されるバランサシャフトと、
該バランサシャフトに設けられたアンバランスウェイトと、
前記バランサシャフトにおける前記アンバランスウェイトが配置された箇所の軸方向両端側に設けられた一対のジャーナル部と、
該各ジャーナル部を回転自在に支持する軸受と、
前記各ジャーナル部における少なくとも前記アンバランスウェイト側の軸方向範囲であって前記アンバランスウェイトの回転時における遠心力の作用方向に対し径方向反対側となる周方向範囲に設けられ、当該範囲における周方向の他の部位に対し軽量となるように構成された軽量化部と、を備えたことを特徴とする内燃機関のバランサ装置。
【請求項３】
回転自在に支持されるバランサシャフトと、
該バランサシャフトに設けられた少なくとも１つのアンバランスウェイトと、
前記バランサシャフトに複数設けられたジャーナル部と、
該各ジャーナル部を回転自在に支持する軸受と、
前記各ジャーナル部において前記アンバランスウェイトの回転時に作用する遠心力に基づき傾斜状に撓み変形することによってその周方向において前記軸受に対し最も強く当接する対角の箇所のうち少なくとも一方の箇所の径方向反対側に設けられた凹部と、を備えたことを特徴とする内燃機関のバランサ装置。
【発明の詳細な説明】
【技術分野】
【０００１】
本発明は、例えば自動車等に適用される内燃機関のバランサ装置に関する。
【背景技術】
【０００２】
自動車に適用される従来の内燃機関のバランサ装置としては、例えば以下の特許文献１に記載されたようなものが提案されている。
【０００３】
すなわち、このバランサ装置は、それぞれの有するアンバランスウェイトの両端部に設けられたジャーナル部を介して支持される一対のバランサシャフトを備えていて、当該各バランサシャフトがそれぞれ回転することで内燃機関の２次振動が打ち消されることとなる。
【先行技術文献】
【特許文献】
【０００４】
特開２００８−１１１４５２号公報
【発明の概要】
【発明が解決しようとする課題】
【０００５】
しかしながら、前記従来のバランサ装置では、前記バランサシャフトの回転時に、それぞれのアンバランスウェイトによる遠心力がその両端側の軸受へと局所的に作用することになってしまう。このため、前記各バランサシャフトにつき、それぞれ前記局所的荷重に耐え得るジャーナル部を設定する必要があり、これによって装置の重量増を余儀なくされてしまうという問題があった。
【０００６】
本発明は、前記従来の内燃機関のバランサ装置の実情に鑑みて案出されたもので、軸受に与える悪影響を低減しつつ装置の軽量化に供する内燃機関のバランサ装置を提供することを目的としている。
【課題を解決するための手段】
【０００７】
本発明は、アンバランスウェイトの両端側に設けられる一対のジャーナル部を介し軸受により支持されるバランサシャフトを備えたバランサ装置において、前記各ジャーナル部における反アンバランスウェイト側の軸方向端部を除く範囲であって少なくとも前記アンバランスウェイトの回転時における遠心力の作用方向に対し径方向反対側となる周方向範囲に凹部を設けたことを特徴としている。
【発明の効果】
【０００８】
本発明によれば、凹部を設けることによってバランサシャフトが軽量化され、これによって、バランサ装置の軽量化を図ることができる。また、このとき、当該凹部は、各ジャーナル部における反アンバランスウェイト側の軸方向端部を除く範囲であって少なくともアンバランスウェイトの回転時における遠心力の作用方向に対して径方向反対側となる周方向範囲、といった各ジャーナル部において軸受に対し強く当接（摺接）するおそれのない範囲に設けられていることから、軸受に対する悪影響についても抑制することができる。
【図面の簡単な説明】
【０００９】
【図１】本発明に係るバランサ装置をエンジンに搭載した状態を現した当該エンジンの正面図である。
【図２】図１のＡ−Ａ線に沿うバランサ装置の縦断面図である。
【図３】図１に示すバランサ装置においてロワハウジングを取り外した状態を現す平面図である。
【図４】図２に現したバランサ装置の要部拡大図である。
【図５】図４に現したバランサシャフトの要部に係る斜視図である。
【図６】本発明に係るバランサ装置の第１変形例であって、図４に相当するバランサ装置の要部拡大図である。
【図７】本発明に係るバランサ装置の第２変形例であって、図４に相当するバランサ装置の要部拡大図である。
【発明を実施するための形態】
【００１０】
以下、本発明に係る内燃機関のバランサ装置を自動車用エンジンに適用した実施形態を図面に基づいて説明する。
【００１１】
すなわち、図１に示すように、エンジン（シリンダヘッド１）の下部に設けられるシリンダブロック２の下面に、クランクシャフト３を軸支する軸受を有するラダーフレーム４が固定されていると共に、該ラダーフレーム４の下部に取り付けられるオイルパン５の内部にバランサ装置１０が収容配置されている。
【００１２】
前記クランクシャフト３は、図１、図２に示すように、前端部に一体に設けられた支持軸部３ａに大径なクランクスプロケット７が取り付けられると共に、その先端側に駆動プーリ８が取り付けられている。
【００１３】
前記バランサ装置１０は、図１〜図３に示すように、ラダーフレーム４の下面に複数のボルト６によって固定されると共に、ほぼ半割状に形成されて複数のボルト９により結合されることで１つのハウジングを構成するアッパハウジング１１及びロワハウジング１２と、これら両ハウジング１１，１２間に支持されてエンジンの前後方向（図１の紙面奥行き方向）に並行配置された、バランサシャフトである駆動側のドライブシャフト３０及び従動側のドリブンシャフト４０と、ドライブシャフト３０の軸方向中間部及びドリブンシャフト４０の軸方向一端部にそれぞれ固定され、各外周部に形成された歯部３４ａ，４３ａが噛合することにより互いに逆回転する駆動側ギヤ３４及び従動側ギヤ４３と、を備えている。
【００１４】
前記ドライブシャフト３０は、その軸方向両端部及び中間部にそれぞれ設けられた第１〜第３ジャーナル部３１〜３３を介して、前記両ハウジング１１，１２間に配設される３つの軸受である第１〜第３軸受２１〜２３によって回転自在に支持されている。そして、このドライブシャフト３０の軸方向一端部には、クランクスプロケット７の半分の歯数に設定されたバランサスプロケット２４がボルト２６により固定されていて、該バランサスプロケット２４とクランクスプロケット７とに亘って巻回された駆動チェーン２５を介してクランクシャフト３の１回転につきドライブシャフト３０が２回転するように構成されている。なお、図１の２７は、前記駆動チェーン２５に所定の張力を付与するテンショナである。
【００１５】
また、前記ドライブシャフト３０の第２、第３ジャーナル部３２，３３間に形成される軸部には、図３〜図５に示すように、当該軸部を中心として横断面がほぼ半円状となるように構成されたアンバランスウェイト３５が、所定の軸方向範囲に亘って一体に設けられている。そして、このアンバランスウェイト３５の径方向反対側における所定の周方向範囲には、他の軸方向部位に対して比較的小さい体積となるように構成された肉抜き部３６が、周方向において曲線的に取り除かれるかたちで、軸方向に沿って連続して設けられている。
【００１６】
さらに、前記各ジャーナル部３２，３３においてアンバランスウェイト３５の回転時に作用する遠心力に基づき傾斜状に撓み変形することによってその周方向において前記各軸受２２，２３に対し最も強く当接（摺接）する対角の箇所のうち少なくとも一方の箇所の径方向反対側（本実施形態では、前記各ジャーナル部３２，３３における反アンバランスウェイト３５側の軸方向端部を除く範囲であって少なくともアンバランスウェイト３５の回転時における遠心力の作用方向に対し径方向反対側となる周方向範囲）には、前記肉抜き部３６に隣接するように、１対の第２ジャーナル凹部３７及び第３ジャーナル凹部３８（本発明に係る凹部に相当）が設けられている。なお、かかる第２、第３ジャーナル凹部３７，３８が設けられることで、前記各ジャーナル部３２，３３における当該各ジャーナル凹部３７，３８が形成される軸方向範囲が、本発明に係る軽量化部として構成されている。
【００１７】
より詳しくは、これら各ジャーナル凹部３７，３８は、前記各ジャーナル部３２，３３の後述する第２、第３ジャーナル潤滑溝１４ａ，１５ａよりもそれぞれアンバランスウェイト３５側となる所定の軸方向範囲において、当該アンバランスウェイト３５が設けられていない周方向範囲全体に亘って、当該アンバランスウェイト３５の回転時における遠心力の作用方向軸Ｚの両側約９０度の周方向範囲において互いに軸対称となるように設けられている（図５参照）。なお、ここで、前記遠心力の作用方向軸Ｚとは、アンバランスウェイト３５の周方向中心部Ｐと回転中心部Ｏとを結んだ線を示している。
【００１８】
そして、前記第１、第２ジャーナル凹部３７，３８は、その軸方向一端側がそれぞれ隣接する肉抜き部３６と連続するように当該肉抜き部３６側へ直線的に開放形成されることにより、当該各ジャーナル凹部３７，３８の底部３７ａ，３８ａと肉抜き部３６の底面（周方向端面）３６ａとが面一となるように構成されて、肉抜き部３６と一体となって１つの（１連の）肉抜き部が構成されるようになっている。また、当該各ジャーナル凹部３７，３８は、前記肉抜き部３６と同様、周方向において曲線的に取り除かれることにより、アンバランスウェイト３５の径方向反対側へ開放される構成となっている。なお、この際、これら各ジャーナル凹部３７，３８の他端側については、後述する第２、第３ジャーナル潤滑溝１４ａ，１５ａとは重合しないような構成となっていて、該各ジャーナル潤滑溝１４ａ，１５ａ内の作動油を当該各ジャーナル凹部３７，３８を介して漏出させることなく、当該各ジャーナル潤滑溝１４ａ，１５ａの潤滑機能を確保し得る構成となっている。
【００１９】
前記第１〜第３軸受２１〜２３は、いわゆるプレーンベアリングであって、前記両ハウジング１１，１２の接合部における軸方向の両端位置及び中間位置にそれぞれ設けられた第１〜第３軸受部１３〜１５と前記各ジャーナル部３１〜３３との間に介装されている。なお、前記第１〜第３軸受部１３〜１５には、その軸方向中間位置に、それぞれ円環状となるように構成された１連の第１〜第３ジャーナル潤滑溝１３ａ〜１５ａが切欠形成されていて、該各潤滑溝１３ａ〜１５ａへと図示外の他の油通路から作動油が導かれることによって、前記各軸受２１〜２３の潤滑が行われるようになっている。
【００２０】
一方、前記ドリブンシャフト４０は、その軸長がドライブシャフト３０の約２／３程度の短尺に形成され、かかるドリブンシャフト４０についても、ドライブシャフト３０と同様に、前記両ハウジング１１，１２間に構成される第１、第２軸受部１６，１７において、１対の第１、第２ジャーナル部４１，４２をもってプレーンベアリングである第１、第２軸受２７，２８を介して回転自在に支持されている。そして、前記両ジャーナル部４１，４２間には、ドライブシャフト３０のアンバランスウェイト３５と同じ質量のアンバランスウェイト４４が設けられる一方、その径方向反対側には、同様の肉抜き部４５が設けられている。さらに、前記各ジャーナル部４１，４２にも、前記肉抜き部４５と連続するように構成される同様の第１、第２ジャーナル凹部４６，４７が切欠形成されている。
【００２１】
なお、これら各ジャーナル凹部４６，４７も、アンバランスウェイト４４側となる軸方向一端側は、肉抜き部４５と面一の底部を構成するように軸方向に沿って直線的に開放形成されると共に、反アンバランスウェイト４４側となる他端側は、前記各軸受部１６，１７の軸方向中間位置に形成される第１、第２ジャーナル潤滑溝１６ａ，１７ａよりもアンバランスウェイト４４側の軸方向範囲において曲線的に取り除かれて、当該アンバランスウェイト４４と径方向反対側へ開放される構成となっている。
【００２２】
このように、前記ドリブンシャフト４０は、ドライブシャフト３０における駆動ギヤ３４よりも軸方向他端側と同一の構成となるように形成され、かかる構成に基づき前記両ギヤ３４，４３を介して互いに逆回転することによって、前記エンジンの２次振動を打ち消す制振作用が発揮されるようになっている。
【００２３】
以上のように、本実施形態に係るバランサ装置１０によれば、前記ドライブシャフト３０の第２、第３ジャーナル部３２，３３及びドリブンシャフト４０の第１、第２ジャーナル部４１，４２に、それぞれ第２、第３ジャーナル凹部３７，３８及び第１、第２ジャーナル凹部４６，４７を設けたことによって、バランサシャフトである当該各シャフト３０，４０を軽量化することが可能となり、これによって、当該バランサ装置１０の軽量化を図ることができる。
【００２４】
また、このとき、前記各ジャーナル凹部３７，３８、４６，４７については、前記各ジャーナル部３２，３３、４１，４２における反アンバランスウェイト３５，４４側の軸方向端部を除く範囲であって少なくとも当該各アンバランスウェイト３５，４４の回転時における遠心力の作用方向に対し径方向反対側となる周方向範囲といった前記各ジャーナル部３２，３３、４１，４２にて前記各軸受２２，２３、２７，２８に対し強く当接（摺接）するおそれのない範囲に設けられていることから、これら各軸受３７，３８、４６，４７に対する悪影響についても抑制することができる。
【００２５】
さらに、前記各ジャーナル凹部３７，３８、４６，４７は、前記各肉抜き部３６，４５側へと開放形成されてこれら各肉抜き部３６，４５と面一の底部をもって連続するように形成され、しかも、前記各アンバランスウェイト３５，４４の径方向反対側にて前記Ｚ軸対称となるように構成されていることから、当該各ジャーナル凹部３７，３８、４６，４７を前記各肉抜き部３６，４５と一緒に、かつ、容易に形成することが可能となっている。これにより、前記各シャフト３０，４０の良好な生産性の維持を図ることもできる。
【００２６】
また、前記各肉抜き部３６，４５を含め、前記各ジャーナル凹部３７，３８、４６，４７は、前記各アンバランスウェイト３５，４４が設けられていない周方向全体に亘って形成されていることから、前記各シャフト３０，４０のアンバランス量を増大させることが可能となり、これによって、バランサ装置１０の制振作用の促進にも供される。
【００２７】
さらには、前記各ジャーナル凹部３７，３８、４６，４７は、前記各肉抜き部３６，４５と同様、周方向において曲線的に取り除かれる構成となっていることから、当該各ジャーナル凹部３７，３８、４６，４７に発生する応力集中を緩和することが可能となり、バランサ装置１０（前記各シャフト３０，４０）の耐久性の向上にも寄与することができる。
【００２８】
本発明は、前記実施形態の構成に限定されるものではなく、例えば前記第２、第３ジャーナル凹部３７，３８及び第１、第２ジャーナル凹部４６，４７は、前記各アンバランスウェイト３５，４４の回転時に前記第２、第３軸受２２，２３及び第１、第２軸受２７，２８に対し最も強く当接する対角の箇所のうち少なくとも一方の箇所の径方向反対側に設けられていればよいことから、前記実施形態の対角位置である前記第２、第３ジャーナル部３２，３３及び第１、第２ジャーナル部４１，４２の反アンバランスウェイト３５，４４側であって当該各アンバランスウェイト３５，４４の遠心力が作用する側の周方向範囲に設けることも可能であり、また、その両方の範囲に設けることも可能である。
【００２９】
また、前記ドライブシャフト３０の支持に供する第１〜第３軸受２１〜２３及びドリブンシャフト４０の支持に供する第１、第２軸受２７，２８については、前記実施形態で例示したようなプレーンベアリングのほかに、図６に示すようなニードルベアリングを使用した各軸受２１〜２３等をもって構成してもよく、また、これら軸受を使用せずに、図７に示すような前記各ジャーナル部３１〜３３等を前記各軸受部２１〜２３等によって直接支持するような構成としてもよい。換言すれば、本発明は、軸受の仕様・態様によらず、前述のような特異な作用効果を奏し得るものである。
【００３０】
さらに、前記実施形態では、本発明に係る軽量化部として前記各ジャーナル凹部３７，３８、４６，４７によって構成される態様を例に説明したが、当該軽量化部は、他の部分よりも軽量に構成されていればよいものであって、前述のような凹状に切り欠かれた態様には限定されず、例えば当該部分を他の部分よりも軽量な材料（例えば合成樹脂等）で構成することにより軽量化する場合等、あらゆる態様が含まれることは言うまでもない。
【００３１】
以下、前記実施形態から把握される特許請求の範囲に記載した以外の技術的思想について説明する。
【００３２】
（ａ）請求項１に記載の内燃機関のバランサ装置において、
前記凹部は、前記各ジャーナル部において前記アンバランスウェイト側へと軸方向に開放されていることを特徴とする内燃機関のバランサ装置。
【００３３】
かかる構成とすることで、凹部の良好な加工性を得ることができ、当該凹部の容易な形成に供される。
【００３４】
（ｂ）請求項１に記載の内燃機関のバランサ装置において、
前記凹部は、前記各ジャーナル部における前記アンバランスウェイトが設けられていない周方向範囲の全体に亘って設けられていることを特徴とする内燃機関のバランサ装置。
【００３５】
かかる構成とすることで、バランサシャフトのアンバランス量をさらに増大させることが可能となり、これによって、装置の制振作用の促進を図ることができる。
【００３６】
（ｃ）前記（ｂ）に記載の内燃機関のバランサ装置において、
前記アンバランスウェイトはその回転時に作用する遠心力の周方向中心部から周方向の両側ほぼ９０度の範囲で設けられて、当該アンバランスウェイトが設けられる１８０度の周方向範囲を除く残余の周方向範囲に亘って前記凹部が設けられていることを特徴とする内燃機関のバランサ装置。
【００３７】
かかる対称的な構成とすることで、アンバランスウェイト及び凹部の良好な加工性が得られ、両者の容易な形成に供される。
【００３８】
（ｄ）請求項１に記載の内燃機関のバランサ装置において、
前記軸受は、潤滑油供給孔から潤滑油が供給されるすべり軸受によって構成され、前記凹部は、径方向において前記潤滑油供給孔と重合しない軸方向範囲に設けられていることを特徴とする内燃機関のバランサ装置。
【００３９】
かかる構成とすることで、潤滑油供給孔内の潤滑油が凹部を介して漏出してしまう不具合を防止でき、当該潤滑油供給孔による潤滑機能を確保することができる。
【００４０】
（ｅ）前記（ｄ）に記載の内燃機関のバランサ装置において、
前記潤滑油供給孔は、前記すべり軸受の軸方向中間位置に設けられていることを特徴とする内燃機関のバランサ装置。
【００４１】
かかる構成とすることで、各軸受において偏りのない良好な潤滑効果を得ることができる。
【００４２】
（ｆ）請求項１に記載の内燃機関のバランサ装置において、
前記凹部の底面は、前記アンバランスウェイトの背面と連続するように構成されていることを特徴とする内燃機関のバランサ装置。
【００４３】
かかる構成とすることで、凹部の良好な加工性が得られ、当該凹部を容易に形成することができる。
【００４４】
（ｇ）請求項１に記載の内燃機関のバランサ装置において、
前記アンバランスウェイトは、その回転時に作用する遠心力の周方向中心部とその回転中心部とを結ぶ線に対して対称となるように構成されていることを特徴とする内燃機関のバランサ装置。
【００４５】
かかる構成とすることで、良好なアンバランス作用（制振作用）を得ることができる。
【００４６】
（ｈ）請求項１に記載の内燃機関のバランサ装置において、
前記アンバランスウェイトは、横断面がほぼ半円状となるように構成されていることを特徴とする内燃機関のバランサ装置。
【００４７】
かかる構成とすることで、良好なアンバランス作用（制振作用）と成形性を備えると共に、オイル内での回転抵抗の低減化に供するアンバランスウェイトを得ることができる。
【符号の説明】
【００４８】
１０…バランサ装置
２２，２３…第２、第３軸受（軸受）
２７，２８…第１、第２軸受（軸受）
３０…ドライブシャフト（バランサシャフト）
３２，３３…第２、第３ジャーナル部（一対のジャーナル部）
３５…アンバランスウェイト
３７，３８…第２、第３ジャーナル凹部（凹部）
４０…ドリブンシャフト（バランサシャフト）
４１，４２…第１、第２ジャーナル部（一対のジャーナル部）
４４…アンバランスウェイト
４６，４７…第１、第２ジャーナル凹部（凹部）
【図１】
2013104512.tif 000003
【図２】
2013104512.tif 000004
【図３】
2013104512.tif 000005
【図４】
2013104512.tif 000006
【図５】
2013104512.tif 000007
【図６】
2013104512.tif 000008
【図７】
2013104512.tif 000009